(57)【要約】      （修正有）【課題】メモ書きの機能を備えてメモ書きを見る機会を自然に増やして使いやすくしたテレビジョンを提供する。【解決手段】プラズマディスプレイパネル２２と電磁誘導パネル３１とを重ね合わせて設置し、ペン先から磁界を発生させることが可能なペンを使用して描画すると、電磁誘導パネル３１は発生される磁界を検出し、位置検出磁界強度検出部３２を介してその軌跡をたどることができる。ＣＰＵ１７は同軌跡に対応するデータを描画メモリ３３に書き込み、同軌跡に相当する画面を生成して１チップＩＣ１８とＰＤＰドライバ２１を介してプラズマディスプレイ２２に描画させる。このようにして描画したデータは不揮発性の描画メモリ３３に書き込まれているので、テレビジョンの電源をオンにしたり、所定の時刻になったりしたときに予め選択した表示態様でプラズマディスプレイ２２に表示させることができ、見忘れることもない。【選択図】図２
2006128866.tif 000002
【特許請求の範囲】
【請求項１】
テレビジョン映像信号に基づいて映像を表示する表示器を備えたテレビジョンにおいて、
上記表示器は、プラズマディスプレイパネルで構成され、
ペン先から所定の磁界を発生するペンと、同ペンから発生される磁界を検出して上記表示器上における同ペンの位置と動作モードを検出する電磁誘導パネルとを有し、同ペンの位置と動作モードを検出し、動作モードに応じてペンの位置に基づく軌跡を取得する軌跡検出手段と、
同軌跡検出手段にて検出された軌跡を記憶する不揮発性の記憶手段と、
同記憶手段にて記憶されている軌跡を所定の表示モードに応じて上記表示器に画像として表示する表示制御手段とを具備するとともに、
上記ペンは、発生させる磁界の強度を変化させる磁界強度変更手段を有し、
上記電磁誘導パネルは、検出される磁界の強度を判定する磁界強度判定手段を有し、
上記記憶手段は、上記軌跡として位置情報に加えて磁界の強度を合わせて記憶し、
上記表示制御手段は、同磁界の強度に応じて軌跡の幅を変更させて同軌跡を上記表示器に表示させるとともに、当該テレビジョンの電源がオンになったときにも上記表示器に上記軌跡を表示することを特徴とするテレビジョン。
【請求項２】
テレビジョン映像信号に基づいて映像を表示する表示器を備えたテレビジョンにおいて、
上記表示器上における所定のペンの位置と動作モードを検出し、動作モードに応じてペンの位置に基づく軌跡を取得する軌跡検出手段と、
同軌跡検出手段にて検出された軌跡を記憶する不揮発性の記憶手段と、
同記憶手段にて記憶されている軌跡を所定の表示モードに応じて上記表示器に画像として表示する表示制御手段とを具備することを特徴とするテレビジョン。
【請求項３】
上記表示制御手段は、当該テレビジョンの電源がオンになったことを検知して上記表示器に上記軌跡を表示することを特徴とする上記請求項請求項２に記載のテレビジョン。
【請求項４】
計時を行うとともに時刻と電源のオン・オフを連動させるタイマを有し、上記表示制御手段は、当該タイマでの計時時刻があらかじめ設定した所定時刻となったときに上記表示器に上記軌跡を表示することを特徴とする上記請求項請求項２または請求項３のいずれかに記載のテレビジョン。
【請求項５】
周囲の明暗を検出する明暗検出手段を有し、上記表示制御手段は、同明暗検出手段にて検出された周囲の明るさを所定の基準値と比較し、同基準値よりも明るいときには白地で表示し、同基準値よりも暗いときには黒地で表示することを特徴とする上記請求項２〜請求項４のいずれかに記載のテレビジョン。
【請求項６】
上記表示器は、プラズマディスプレイパネルで構成され、上記軌跡検出手段は、ペン先から所定の磁界を発生するペンと、同ペンから発生される磁界を検出して同ペンの位置と動作モードを検出する電磁誘導パネルとを有することを特徴とする上記請求項２〜請求項５のいずれかに記載のテレビジョン。
【請求項７】
上記ペンは、発生させる磁界の強度を変化させる磁界強度変更手段を有し、上記電磁誘導パネルは、検出される磁界の強度を判定する磁界強度判定手段を有し、上記記憶手段は、上記軌跡として位置情報に加えて磁界の強度を合わせて記憶し、上記表示制御手段は、同磁界の強度に応じて軌跡の幅を変更させて上記表示器に表示させることを特徴とする上記請求項６に記載のテレビジョン。
【請求項８】
上記磁界強度変更手段は、時間的に磁界強度を変化させて軌跡の幅に変化を与えることを特徴とする上記請求項７に記載のテレビジョン。
【請求項９】
上記表示制御手段は、上記軌跡をテレビジョン映像信号に基づく映像に重ね合わせて表示することを特徴とする上記請求項１〜請求項８のいずれかに記載のテレビジョン。
【請求項１０】
上記表示制御手段は、上記表示器における表示領域を分割し、上記軌跡をテレビジョン映像信号に基づく映像と別個に上記軌跡を表示することを特徴とする上記請求項１〜請求項８のいずれかに記載のテレビジョン。
【発明の詳細な説明】
【技術分野】
【０００１】
本発明は、メモ書きを表示可能なテレビジョンに関するものである。
【背景技術】
【０００２】
メモ書きを表示器に表示させるものとして特許文献１〜３などに開示されたものが知られている。これらのものでは特定の表示パネルに所定のペンでメモ書きを行うことが可能となっている。
【特許文献１】特開２００３−２６３２６９号公報
【特許文献２】特開２００３−２５６３８３号公報
【特許文献３】特開２００３−０１５８２１号公報
【発明の開示】
【発明が解決しようとする課題】
【０００３】
上述した従来のものは、専用の表示パネルを用いるため、意識していないとメモ書きを見ることを忘れてしまうことが多く、使い勝手が悪かった。
本発明は、上記課題にかんがみてなされたもので、メモ書きの機能を備えてメモ書きを見る機会を自然に増やして使いやすくしたテレビジョンの提供を目的とする。
【課題を解決するための手段】
【０００４】
上記目的を達成するため、請求項２にかかる発明は、テレビジョン映像信号に基づいて映像を表示する表示器を備えたテレビジョンにおいて、上記表示器上における所定のペンの位置と動作モードを検出し、動作モードに応じてペンの位置に基づく軌跡を取得する軌跡検出手段と、同軌跡検出手段にて検出された軌跡を記憶する不揮発性の記憶手段と、同記憶手段にて記憶されている軌跡を所定の表示モードに応じて上記表示器に画像として表示する表示制御手段とを具備する構成としてある。
【０００５】
上記のように構成した請求項２にかかる発明においては、軌跡検出手段が、上記表示器上における所定のペンの位置と動作モードを検出し、動作モードに応じてペンの位置に基づく軌跡を取得すると、不揮発性の記憶手段は同軌跡検出手段にて検出された軌跡を記憶し、表示制御手段が、同記憶手段にて記憶されている軌跡を所定の表示モードに応じて上記表示器に画像として表示する。
すなわち、通常、テレビジョンの映像信号を表示しつつも、所定のペンで上記表示器上での軌跡をメモ書きのように記憶し、同表示器上に表示するので、ＴＶを付けたときなどに容易にメモ書きを確認できる。
【０００６】
また、請求項３にかかる発明は、上記表示制御手段は、当該テレビジョンの電源がオンになったことを検知して上記表示器に上記軌跡を表示する構成としてある。
上記のように構成した請求項３にかかる発明においては、当該テレビジョンの電源がオンになったときに上記表示制御手段が検知し、上記表示器に上記軌跡を表示する。
すなわち、テレビジョンをつければ必ずメモ書きなどが表示される。
【０００７】
さらに、請求項４にかかる発明は、計時を行うとともに時刻と電源のオン・オフを連動させるタイマを有し、上記表示制御手段は、当該タイマでの計時時刻があらかじめ設定した所定時刻となったときに上記表示器に上記軌跡を表示する構成としてある。
上記のように構成した請求項４にかかる発明においては、タイマによって計時を行うとともに時刻と電源のオン・オフを連動させることができる場合に、上記表示制御手段が当該タイマでの計時時刻があらかじめ設定した所定時刻となったか否かを判断しており、同時刻となったときに上記表示器に上記軌跡を表示する。
すなわち、メモ書きがある時刻に関連するようなものであるときに、タイマと連動させてテレビジョンの表示器上に表示させることになる。
【０００８】
さらに、請求項５にかかる発明は、周囲の明暗を検出する明暗検出手段を有し、上記表示制御手段は、同明暗検出手段にて検出された周囲の明るさを所定の基準値と比較し、同基準値よりも明るいときには白地で表示し、同基準値よりも暗いときには黒地で表示する構成としてある。
上記のように構成した請求項５にかかる発明においては、明暗検出手段にて周囲の明暗を検出しており、上記表示制御手段は同明暗検出手段にて検出された周囲の明るさを所定の基準値と比較する。そして、周囲の明るさが同基準値よりも明るいとき、すなわち、まわりが明るいときには白地で表示し、同基準値よりも暗いとき、すなわち、まわりが暗いときには黒地で表示する。
【０００９】
ペンの位置や軌跡を検出する一例として、請求項６にかかる発明では、上記表示器は、プラズマディスプレイパネルで構成され、上記軌跡検出手段は、ペン先から所定の磁界を発生するペンと、同ペンから発生される磁界を検出して同ペンの位置と動作モードを検出する電磁誘導パネルとを有する構成としてある。
上記のように構成した請求項６にかかる発明においては、所定のペンはペン先から磁界を発生することができるようになっており、電磁誘導パネルが上記プラズマディスプレイパネル上での同ペンから発生される磁界を検出し、同ペンの位置と動作モードを検出する。
【００１０】
このように磁界を利用する場合の好適な一例として、請求項７にかかる発明では、上記ペンは、発生させる磁界の強度を変化させる磁界強度変更手段を有し、上記電磁誘導パネルは、検出される磁界の強度を判定する磁界強度判定手段を有し、上記記憶手段は、上記軌跡として位置情報に加えて磁界の強度を合わせて記憶し、上記表示制御手段は、同磁界の強度に応じて軌跡の幅を変更させて上記表示器に表示させる構成としてある。
上記のように構成した請求項７にかかる発明においては、上記ペンが磁界強度変更手段によって発生させる磁界の強度を変化させることができ、これに対応して上記電磁誘導パネルの磁界強度判定手段は検出される磁界の強度を判定し、上記記憶手段が上記軌跡として位置情報に加えて磁界の強度を合わせて記憶する。このようにして軌跡に加えて磁界強度も記憶された後、上記表示制御手段は同磁界の強度に応じて軌跡の幅を変更させて上記表示器に表示させる。
すなわち、任意に軌跡の太さを変更して描画でき、表現の自由度を向上させる。
【００１１】
さらに、請求項８にかかる発明では、上記磁界強度変更手段は、時間的に磁界強度を変化させて軌跡の幅に変化を与える構成としてある。
上記のように構成した請求項８にかかる発明においては、上記磁界強度変更手段が時間的に磁界強度を変化させるので、自動的に幅に変化を与えた軌跡が記憶され、表示させることができる。
【００１２】
表示器上での軌跡の表示は各種の態様が可能である。その一例として、請求項９にかかる発明では、上記表示制御手段は、上記軌跡をテレビジョン映像信号に基づく映像に重ね合わせて表示する構成としてある。
上記のように構成した請求項９にかかる発明においては、上記軌跡をテレビジョン映像信号に基づく映像に重ね合わせて表示する。
【００１３】
また、請求項１０にかかる発明では、上記表示制御手段は、上記表示器における表示領域を分割し、上記軌跡をテレビジョン映像信号に基づく映像と別個に上記軌跡を表示する構成としてある。
上記のように構成した請求項１０にかかる発明においては、上記表示器における表示領域を分割し、上記軌跡をテレビジョン映像信号に基づく映像と別個に上記軌跡を表示する。
【００１４】
むろん、以上の構成を踏まえた上で、請求項１にかかる発明は、テレビジョン映像信号に基づいて映像を表示する表示器を備えたテレビジョンにおいて、ペン先から所定の磁界を発生するペンと、同ペンから発生される磁界を検出して上記表示器上における同ペンの位置と動作モードを検出する電磁誘導パネルとを有し、同ペンの位置と動作モードを検出し、動作モードに応じてペンの位置に基づく軌跡を取得する軌跡検出手段と、同軌跡検出手段にて検出された軌跡を記憶する不揮発性の記憶手段と、同記憶手段にて記憶されている軌跡を所定の表示モードに応じて上記表示器に画像として表示する表示制御手段とを具備するとともに、上記ペンは、発生させる磁界の強度を変化させる磁界強度変更手段を有し、上記電磁誘導パネルは、検出される磁界の強度を判定する磁界強度判定手段を有し、上記記憶手段は、上記軌跡として位置情報に加えて磁界の強度を合わせて記憶し、上記表示制御手段は、同磁界の強度に応じて軌跡の幅を変更させて同軌跡を上記表示器に表示させるとともに、当該テレビジョンの電源がオンになったときにも上記表示器に上記軌跡を表示する構成としてある。
このようなより具体的な構成において上述したのと同様な作用を奏することはいうまでもない。
【発明の効果】
【００１５】
以上説明したように本発明は、メモ書きの機能を備えてメモ書きを見る機会を自然に増やして使いやすくしたテレビジョンの提供することができる。
さらに、請求項３にかかる発明によれば、テレビジョンの電源がオンになったときに上記軌跡を表示するのでメモ書きなどを見忘れることを防止して使い勝手が良くなる。
【００１６】
さらに、請求項４にかかる発明によれば、所定時刻となったときに必ず上記軌跡を表示するのでメモ書きなどを見忘れることを防止して使い勝手が良くなる。
さらに、請求項５にかかる発明によれば、周囲の明るさに応じて白地で表示したり黒地で表示したりするので、見やすくなり、使い勝手が良くなる。
さらに、請求項６にかかる発明によれば、磁界を利用して簡易に軌跡を検出することができる。
【００１７】
さらに、請求項７にかかる発明によれば、発生させる磁界の強度を変化させて容易に軌跡の幅を変更させ、描画の自由度を向上させて使い勝手をよくすることができる。
さらに、請求項８にかかる発明によれば、自動的に時間をおって磁界強度を変化させるので、軌跡の線の太さを自動的に変化させることが可能となる。
さらに、請求項９にかかる発明によれば、上記軌跡とテレビジョン映像信号に基づく映像とを重ね合わせて表示するので、映像を大きく変化させることなくメモ書きなどを見忘れないようにさせることができる。
さらに、請求項１０にかかる発明によれば、上記軌跡をテレビジョン映像信号に基づく映像と別個の領域に表示するのでメモ書きを見やすくなる。
【発明を実施するための最良の形態】
【００１８】
以下、図面にもとづいて本発明の実施形態を説明する。
図１は、本発明の一実施形態にかかるテレビジョンを外観斜視図により示している。
同図において、プラズマディスプレイパネル（ＰＤＰ）を備えたテレビジョン１０は薄箱状に形成されており、表示面１１を囲うように枠部１２を有しており、同枠部１２をスタンド１３にて支持している。枠部１２はＰＤＰを収容しつつ表示面１１を外部に露出する窓状の開口を有する筺体であり、内部にはＰＤＰの他、後述する表示制御回路などを収容している。
【００１９】
図２は本テレビジョン１０の概略構成をブロック図により示している。
同図において、チューナ１４は、アンテナ１５にて受信されるＴＶ放送信号を受信するものであり、所定のチャンネル番号に対応する周波数のＴＶ放送信号を受信して所定の中間周波数信号に変換して出力する。チューナ１４はＩＩＣバス１６にも接続され、同ＩＩＣバス１６にてＣＰＵ１７から出力されるチャンネル番号に対応するコマンドを入力して受信するＴＶ放送信号の周波数を決定している。
【００２０】
１チップＩＣ１８は入力される所定の中間周波数信号から映像信号や音声信号などを生成する複合的なＩＣチップである。本実施例においては、映像信号と、音声信号を出力している。
映像信号はＰＤＰドライバ２１に入力され、ＰＤＰ２２にて所定の映像を表示させる。音声信号は音声アンプ２３に入力され、スピーカ２４を介して音声を出力させる。
【００２１】
ＣＰＵ１７は、チューナ１４や１チップＩＣ１８などに対する各種の制御を行うものであり、同ＣＰＵ１７が実行するのに必要なプログラムやパラメータ、データの類はＥＥＰＲＯＭ２５に記憶されている。本ＣＰＵ１４は、後述するメモ機能をソフトウェアとハードウェアで実現しており、そのソフトウェアとなるメモ機能プログラムはＥＥＰＲＯＭ２５に記憶されている。
【００２２】
また、ＣＰＵ１７にはリモコン受光素子２６が接続され、外部のリモコン２７を操作したときに所定の信号光が送出されると、同信号光に応じてリモコン受光素子の電位が変化する。ＣＰＵ１７は同電位変化に基づいてリモコン２７での操作を検知する。さらに、ＩＩＣバス１６にはタイマ２８も接続され、ＣＰＵ１７はタイマ２８への時刻設定やタイマ機能の制御を実行している。
【００２３】
上記ＰＤＰ２２と重ね合わせるようにしてパネル状の電磁誘導パネル３１が備えられている。電磁誘導パネル２８は後述するペン４０の操作に応じて発生する磁界を検出するものであり、検出結果は位置検出磁界強度検出部３２が信号処理してＣＰＵ１７に送出する。すなわち、位置検出磁界強度検出部３２は電磁誘導パネル２８上でペン４０にて描画操作されたとき、その位置と磁界強度を検出し、位置情報と磁界強度とを所定のパラメータで表してＣＰＵ１７に送出している。
【００２４】
ＣＰＵ１７はこれらのパラメータに基づいて不揮発性の描画メモリ３３に対して軌跡を表すデータを書き込むとともに、同描画メモリ３３に記憶されたデータに基づいて画像を表す信号を生成し、１チップＣＰＵ１８に対して画像を表示させる。ここで１チップＣＰＵ１８はチューナ１４からの映像信号の表示に加えて別個の映像入力が可能であり、その外部入力端子ＡＵＸに対して上記ＣＰＵ１７が画像信号を送出することになる。この際、１チップＣＰＵ１８は複数の画像を別個に表示したり、重ねて表示したりすることができるようになっている。なお、本実施形態においては１チップＣＰＵ１８がかかる表示を行っているが、ＰＤＰドライバ２１にてこれらの機能を有するものを採用し、当該ＰＤＰドライバ２１にて表示を司るようにしても良い。
ＣＰＵ１７には、本テレビジョン１０の外面に対面して設置された明暗センサ３４も備えられており、ＣＰＵ１７は当該明暗センサ３４の検出信号に基づいて周囲の明るさを検知することができる。
【００２５】
図３は、ペンの概略構成を回路図により示している。
ペン４０は、ペン先に延設された鉄心を有する電磁コイル４１を有しており、当該電磁コイル４１に対して通電して交流磁界を発生させる交流電源４２を有している。交流電源４２は内部に直流電池を有しており、回路的に交流電源を供給できるようになっている。ペン先は図示しない機構を経てスイッチ４３に連結されており、ペン４０を描画面に押しつけたときにスイッチ４３が閉じて交流電源４２から電磁コイル４１へと通電できるようになっている。また、ペン４０の本体の胴部４０ａには回転可能な操作子４０ｂが備えられており、同操作子４０ｂに連動する可変抵抗４４は交流電源４２から電磁コイル４１へ流れる電流値を変化させる回路構成となっている。なお、オプショナルとしてペン４０には当該可変抵抗部分の代替として自動的に抵抗値を変化させる抵抗変化回路４５を備えている。
【００２６】
なお、電磁誘導パネル２８とＰＤＰ２２は、図４に示すように重ね合わせて設電源置されるとともに、ＰＤＰ２２の表面には保護パネル２２ａが装着され、ペン４０は同保護パネル２２ａ上に押しつけて描画する。
むろん、以上の構成において、プラズマディスプレイ２２が表示器に相当し、ペン４０と電磁誘導パネル３１と位置検出磁界強度検出部３２とで軌跡検出手段を構成し、描画メモリ３３が不揮発性の記憶手段を構成し、ＣＰＵ１７と１チップＩＣ１８とが表示制御手段を構成する。
【００２７】
次に、上記構成からなる本実施形態の動作を説明する。
テレビ放送を受信する場合、リモコン２７を操作して、電源をオンにすると、ＣＰＵ１７はＥＥＰＲＯＭ２５に記憶されている最後の受信チャンネルのデータを読み出し、ＩＩＣバス１６を介してチューナ１４に対して同受信チャンネルのテレビ放送信号を受信するように指示する。すると、同チューナ１４はアンテナ１５を介して同受信チャンネルに対応する周波数のテレビ放送信号を受信し、所定の中間周波数信号に変換して１チップＩＣ１８に出力する。すると、同１チップＩＣ１８は当該中間周波数信号に含まれる映像信号と音声信号を抽出し、映像信号はＰＤＰドライバ２１に対して出力し、音声信号は音声アンプ２３に出力する。ＰＤＰドライバ２１は映像信号を所定のビデオＲＡＭエリアに記録し、ＰＤＰ２２を駆動可能な信号を生成して同ＰＤＰ２２に出力し、同ＰＤＰ２２は表示を行う。一方、音声アンプ２３は音声信号を増幅してスピーカ２４に出力し、同スピーカ２４は音声を出力する。
【００２８】
このようなテレビ放送の受信の制御に加え、ＣＰＵ１７は図５に示すメモ機能を実行するためのプログラムを実行している。
リモコン２７には図示しないメモ機能用の操作子が備えられており、同操作子を操作するとメモ機能を開始するための光信号が発せられ、ＣＰＵ１７はリモコン受光素子２６を介して同光信号を認識することができる。
【００２９】
メモ機能のプログラム実行時は、ステップＳ１０５においてリモコン２７によってメモ機能を実行する操作がなされたか否かを判断する。メモ機能を開始する操作子が操作されていればステップＳ１１０にてメモ画面表示を行う。メモ画面表示は後述するようにして描画された前回の描画画面のデータを描画メモリ３３から読み出して画像を生成し、１チップＩＣ１８に出力して行う。この具体的態様については後述する。
【００３０】
図１に示すように、メモ画面表示ではＰＤＰ２２の表示面上で白地あるは黒地にペン４０で描画した所定の軌跡を表示する。ここで、画面上左上にはコマンド選択領域が設けられており、描画中はこの領域の一部にペン４０を移動させることでコマンドを入力することができる。図に示す例では、上から「（メモ機能の）ＯＦＦ」、「（軌跡で描画を行う）フリー描画モード」、「（消去用の）消しゴムツール選択」、「映像との重ね合わせ表示」、「映像領域の分割表示」となっている。
【００３１】
これらは「（メモ機能の）ＯＦＦ」によってメモ機能を終了するためのコマンドとして認識され、「（軌跡で描画を行う）フリー描画モード」によって以後のペン４０の軌跡を描画として記憶するコマンドとして認識され、「（消去用の）消しゴムツール選択」によって以降のペン４０の軌跡に沿って描画中の軌跡を消し、「映像との重ね合わせ表示」によってメモ画面を表示するときにテレビ放送の映像に重ね合わせて表示することを選択するコマンドとして認識され、「映像領域の分割表示」によってメモ画面を表示するときに表示面を左右に分割してテレビ放送の映像とメモ画面とを別個に表示させるコマンドとして認識される。
【００３２】
ステップＳ１１５では、ＣＰＵ１７が位置検出磁界強度検出部３２を介して電磁誘導パネル３１上でのペン４０の位置を認識し、コマンドが入力されているか否かを判断する。描画としてのコマンドは「フリー描画モード」か、「消しゴムツール選択」のいずれかであり、これらを選択する操作がされていればステップＳ１２０にてペン４０の位置に基づいて軌跡を描画するかペン４０の軌跡に沿ってメモ画面を消すことになる。軌跡を描画したり、軌跡を消したりするという処理は、ＣＰＵ１７が位置検出磁界強度検出部３２を介して入力される電磁誘導パネル３１上でのペン４０の位置や磁界強度に応じて描画メモリ３３に対して画面を生成するデータを書き込む処理と、このように書き込まれていて一画面を生成するデータを読み出して画面を生成する処理とを実行することになる。描画された軌跡は常に描画メモリ３３に書き込まれているので、メモ画面表示を行なう際には同描画メモリ３３からデータを読み出せば最後に描画したメモ画面を生成することができる。
【００３３】
また、「映像との重ね合わせ表示」か、「映像領域の分割表示」を選択する操作がなされている場合には、ＩＩＣバス１６を介してこれらのいずれかを表すパラメータをＥＥＰＲＯＭ２５に書き込み、記憶させる。ここで、図６は映像との重ね合わせ表示の場合の表示態様を示しており、図７は映像領域の分割表示の場合の表示態様を示している。
【００３４】
従って、ステップＳ１１０にてメモ画面表示を行なう際には、ＣＰＵ１７は、まず、このパラメータをＥＥＰＲＯＭ２５から読み出して画面の表示モードを選択し、１チップＩＣ１８に対してテレビ放送画面とメモ画面の表示の態様を指示する。その後、描画メモリ３３からメモ画面を表すデータを読み込んで画面を生成し、１チップＩＣ１８における外部入力端子ＡＵＸに出力する。１チップＩＣ１８は予め表示態様が指示されているので、同指示に対応した画面を生成してＰＤＰドライバ２１に映像信号を出力する。
【００３５】
一方、ステップＳ１１５におけるコマンド判定においてペン４０にてメモ機能を終了する「ＯＦＦ」が選択されていると判断したら、ステップＳ１２５の判断を経てステップＳ１５０にてメモ画面表示を終了し、本メモ機能のプログラムを終了する。メモ画面表示の終了時には、ＣＰＵ１７は１チップＩＣ１８に対して外部入力端子ＡＵＸからの映像入力を停止させ、本来のテレビ放送の映像だけの表示に戻す。ただし、このときに描画メモリ３３の内容を消すことは行わない。
【００３６】
以上のようにしてメモ画面を描画することができる。メモ画面の描画中はメモ画面を表示するのは当然のこととして、本実施形態においては所定の条件が成立したときに最後に書いたメモ画面を表示することができるようになっている。
本実施形態においては、リモコン２７によって明示的にメモ機能を実行させる場合の他にもメモ画面表示を行って使い勝手をよくしている。
【００３７】
図５に示すように、メモ機能のプログラムの実行時、ステップＳ１０５にてリモコン２７によるメモ機能の操作がなされていないと判断したとき、ステップＳ１３０では電源オンとなったタイミングであるか否かを判断し、電源オンとなったタイミングである場合にはステップＳ１４０にてメモ画面表示を行い、ステップＳ１４５にて所定時間が経過したと判断されるまで同メモ画面表示を継続する。このように電源をオンにした直後（電源がオフからオンに変化したときの一回だけを表す。）にはメモ画面表示を所定時間だけ表示することをデフォルトにしておくことにより、メモ画面を必ず表示させて大事な覚え書きなどを見忘れないようにすることができる。なお、図示しない初期設定画面などでこの機能をオフにするということが選択できるようにしても良い。また、描画メモリ３３にメモ画面データが残されているか否かを判断し、残されている場合にだけメモ画面表示を行うということも可能である。
【００３８】
また、ステップＳ１３０で電源オンとなったタイミングでないと判断された場合も、ステップＳ１３５ではタイマ時刻になったか否かを判断し、タイマ時刻となっていればステップＳ１４０にてメモ画面表示を行い、ステップＳ１４５にて所定時間が経過したと判断されるまで同メモ画面表示を継続する。タイマ２８は、通常、所定時刻になったら電源をオンにしたり、所定時間経過後に自動的に電源をオフにしたりするために利用されている。しかし、本実施形態においては、これらに加えてメモ画面表示を行いたい時間を設定できるようにしてあり、ステップＳ１３５にて現在時刻がそのように設定した時刻となっていないかを判断させ、一致するとの判断がタイマ２８にてなされたら、ＣＰＵ１７はメモ画面を表示する。
【００３９】
例えば、Ｘ時Ｘ分になったら誰かに電話しようと思っているときなどに、タイマ２８に時刻を設定しつつメモ画面として「電話」と書いておけばその時刻になったときにメモ画面が表示され、メモ画面を見忘れることなく何をすべきかがすぐに分かる。
【００４０】
メモ画面表示を行なう際、ＣＰＵ１７は明暗センサ３４による検出結果に基づいてメモ画面を白地とするか黒地とするかを選択するようにしても良い。これは単なる白黒反転の処理なので、ＣＰＵ１７内のパラメータを設定するだけで行うことができるが、白黒反転の機能がない場合には、描画メモリ３３から描画データを読み出して画面を生成するときに白地に黒の軌跡を描画するか、黒地に白の軌跡を描画するかを選択して画面を生成すればよい。より具体的には、明暗センサ３４によって周囲が明るいと判断されているときには、白地に黒で軌跡を表示し、周囲が暗いと判断されているときには黒地に白で軌跡を表示する。
【００４１】
ペン４０でメモ画面に描画する際、ユーザはペン４０の本体４０ａに備えられた回転式の操作子４０ｂを回転させることにより可変抵抗４４における抵抗値が変化し、これによって電磁コイル４１に流れる電流を調整することができる。電流を変化させると電磁コイル４１で生じる交流磁界の強度が変化し、同強度は上述した位置検出磁界強度検出部３２にて検知されて軌跡の太さとして記憶される。従って、ユーザは描画時に太さを適宜調整して描画を行うことが可能となる。
【００４２】
このようにして磁界強度をユーザの調整に任せても良いが、抵抗変化回路４５を使用すると磁界強度を自動的に変化させることができ、これによって表現力に変化を生じさせることができる。図８に示す例では、磁界の強度が鋸歯状に変化する抵抗変化回路４５を使用した場合を示しており、抵抗値が小さいときには電流が多く流れて磁界が強くなり、軌跡は太く描画されるが、時間とともに抵抗値が大きくになるにつれて流れる電流が少なくなって磁界が弱くなり、軌跡は細く描画されるようになる。これにより、描画される軌跡は太い状態から徐々に細く、再び太い状態に戻ってから徐々に細くなる。
【００４３】
また、図９に示す例では抵抗変化回路４５にて抵抗値が極めて大きい状態と抵抗値が中くらいの状態とを交互に生じさせる場合を示している。このようにすると、抵抗値が大きいときに電流が流れなくなって描画されず、抵抗値が中くらいの状態となったときに所定の太さの描画がなされる。すなわち、波線を自動的に描くことができるようになる。
このように抵抗変化回路４５での抵抗値の発生パターンを変えると線の太さなどが自動的に変化し、表現力に富むようになる。
【００４４】
このように、プラズマディスプレイパネル２２を表示器としたテレビジョン１０において、プラズマディスプレイパネル２２と電磁誘導パネル３１とを重ね合わせて設置しつつ、ペン先から磁界を発生させることが可能なペン４０を使用して描画すると、電磁誘導パネル３１は発生される磁界を検出し、位置検出磁界強度検出部３２を介してその軌跡をたどることができ、ＣＰＵ１７は同軌跡に対応するデータを描画メモリ３３に書き込みつつ、同軌跡に相当する画面を生成して１チップＩＣ１８とＰＤＰドライバ２１を介してプラズマディスプレイ２２に描画させることができる。このようにして描画したデータは不揮発性の描画メモリ３３に書き込まれているので、テレビジョン１０の電源をオンにしたり、所定の時刻になったりしたときに予め選択した表示態様でプラズマディスプレイ２２に表示させることができ、見忘れることもない。
【図面の簡単な説明】
【００４５】
【図１】本発明の一実施形態にかかるテレビジョンの外観斜視図である。
【図２】テレビジョンの概略構成を示すブロック図である。
【図３】ペンの概略構成を示す回路図である。
【図４】表示器の構成を示す概略断面図である。
【図５】メモ機能のプログラムに相当するフローチャートである。
【図６】重ね合わせ表示の場合の表示態様を示す図である。
【図７】映像領域の分割表示の場合の表示態様を示す図である。
【図８】可変抵抗回路で抵抗値を鋸歯状に変化させるときの描画態様を示す図である。
【図９】可変抵抗回路で抵抗値をステップ状に変化させて波線を描画するときの描画態様を示す図である。
【符号の説明】
【００４６】
１７…ＣＰＵ
１８…１チップＩＣ
２１…ＰＤＰドライバ
２２…ＰＤＰ（プラズマディスプレイ）
３１…電磁誘導パネル
３３…描画メモリ
４０…ペン
【図１】
2006128866.tif 000003
【図２】
2006128866.tif 000004
【図３】
2006128866.tif 000005
【図４】
2006128866.tif 000006
【図５】
2006128866.tif 000007
【図６】
2006128866.tif 000008
【図７】
2006128866.tif 000009
【図８】
2006128866.tif 000010
【図９】
2006128866.tif 000011